(57)【要約】  本発明は、通信分野に関し、リソース設定方法及び機器を提供し、どのようにＳＬ上の伝送制御情報リソース及び伝送データのリソースを設定するかという課題を解決する目的とする。該方法は、第１のリソースと第２のリソースを第１の目標方式で多重化することを決定するステップを有し、前記第１のリソースは、ＳＬ上の伝送制御情報に設定される候補リソースであり、前記第２のリソースは、ＳＬ上の伝送データに設定される候補リソースであり、前記第１の目標方式は、時分割多重化（ＴＤＭ）又は周波数分割多重化（ＦＤＭ）である。本発明の実施例は、ＳＬ上の伝送制御情報のリソースと伝送データのリソースの設定に用いられる。
2021533679.tif 000002
【特許請求の範囲】
【請求項１】
第１のリソースと第２のリソースを第１の目標方式で多重化することを決定するステップを有する、リソース設定方法であって、
前記第１のリソースは、ＳＬ上の伝送制御情報に設定される候補リソースであり、前記第２のリソースは、ＳＬ上の伝送データに設定される候補リソースであり、前記第１の目標方式は、時分割多重化（ＴＤＭ）又は周波数分割多重化（ＦＤＭ）であることを特徴とする、
リソース設定方法。
【請求項２】
第１の目標方式は、プロトコルにより事前定義される、又はネットワークにより事前設定される、又はネットワーク機器により端末機器のために設定される、又は端末機器により自己定義される、又は送信側端末機器により受信側端末機器のために設定されることを特徴とする、請求項１に記載のリソース設定方法。
【請求項３】
前記第１の目標方式がネットワーク機器により前記端末機器のために設定されることは、
前記ネットワーク機器が、前記第１のリソースのリソースプールと前記第２のリソースのリソースプールの多重化方式を設定することを含む、ことを特徴とする請求項２に記載のリソース設定方法。
【請求項４】
前記第１の目標方式がネットワーク機器により前記端末機器のために設定されることは、
前記ネットワーク機器によりＵｕインタフェースを介して前記端末機器のために前記第１の目標方式を設定することを含むことを特徴とする、請求項２に記載のリソース設定方法。
【請求項５】
前記第１の目標方式が前記ネットワーク機器によりＵｕインタフェースを介して前記端末機器のために設定されることは、
前記ネットワーク機器が、前記Ｕｕインタフェースを介して、指示情報が付加される無線リソース制御ＲＲＣシグナリングを前記端末機器に送信すること、
又は、
前記ネットワーク機器が、前記Ｕｕインタフェースを介して、指示情報が付加される下り制御情報ＤＣＩを前記端末機器に送信すること、を含み、
前記指示情報は、前記第１の目標方式を示すために用いられる、
ことを特徴とする請求項４に記載のリソース設定方法。
【請求項６】
前記ＲＲＣシグナリングに指示情報が付加されることは、
前記指示情報がＲＲＣシグナリングのうちの少なくとも１つの情報と共同符号化されること、
又は、
前記ＲＲＣシグナリングに、指示情報を載せるための少なくとも１つのターゲットビットを持たせることにより実現される、
ことを特徴とする請求項５に記載のリソース設定方法。
【請求項７】
前記ＤＣＩに指示情報が付加されることは、
前記指示情報がＤＣＩシグナリングのうちの少なくとも１つの情報と共同符号化されること、
又は、
前記ＤＣＩに、指示情報を載せるための少なくとも１つのターゲットビットを持たせることにより実現される、
ことを特徴とする請求項５に記載のリソース設定方法。
【請求項８】
前記第１の目標方式が送信側端末機器により受信側端末機器のために設定されることは、
前記送信側端末機器によりＰＣ５インタフェースを介して前記受信側端末機器のために前記第１の目標方式を設定することを含む、
ことを特徴とする請求項２に記載のリソース設定方法。
【請求項９】
前記第１の目標方式が前記送信側端末機器によりＰＣ５インタフェースを介して前記受信側端末機器のために設定されることは、
前記送信側端末機器が、前記ＰＣ５インタフェースを介して、指示情報が付加されるＳＬ制御情報ＳＣＩを前記受信側端末機器に送信すること、
又は、
前記送信側端末機器が、前記ＰＣ５インタフェースを介して、指示情報が付加されるＲＲＣシグナリングを前記受信側端末機器に送信すること、を含み、
前記指示情報は、前記第１の目標方式を示すために用いられる、
ことを特徴とする請求項８に記載のリソース設定方法。
【請求項１０】
前記ＳＣＩに指示情報が付加されることは、
前記指示情報が前記ＳＣＩのうちの少なくとも１つの情報と共同符号化されること、
又は、
前記ＳＣＩに、指示情報を載せるための少なくとも１つのターゲットビットを持たせることにより実現される、
ことを特徴とする請求項９に記載のリソース設定方法。
【請求項１１】
前記ＲＲＣシグナリングに指示情報が付加されることは、
前記指示情報がＲＲＣシグナリングのうちの少なくとも１つの情報と共同符号化されること、
又は、
前記ＲＲＣシグナリングに、指示情報を載せるための少なくとも１つのターゲットビットを持たせることにより実現される、
ことを特徴とする請求項９に記載のリソース設定方法。
【請求項１２】
第２の目標方式で制御リソースプール及びデータリソースプールを設定するステップをさらに有し、
前記制御リソースプールは、前記第１のリソースのリソースプールであり、前記データリソースプールは、前記第２のリソースのリソースプールである、
ことを特徴とする請求項１に記載のリソース設定方法。
【請求項１３】
前記第２の目標方式で制御リソースプール及びデータリソースプールを設定するステップは、
Ｍ個の前記制御リソースプールがＮ個の前記データリソースプールに関連付けるように設定することを含み、
Ｍ、Ｎは、非負整数である、
ことを特徴とする請求項１２に記載のリソース設定方法。
【請求項１４】
Ｍ、Ｎは、共に正の整数であり、
第１のキャリアセットと第２のキャリアセットとは共通セットを有し、
前記第１のキャリアセットは、前記Ｍ個の制御リソースプールの各々が存在するキャリアからなるセットであり、前記第２のキャリアセットは、前記Ｎ個のデータリソースプールの各々が存在するキャリアからなるセットである、
ことを特徴とする請求項１３に記載のリソース設定方法。
【請求項１５】
Ｍ、Ｎは、共に正の整数であり、
第１のキャリアセットと第２のキャリアセットとは、共通セットを有さなく、
前記第１のキャリアセットは、前記Ｍ個の制御リソースプールの各々が存在するキャリアからなるセットであり、第２のキャリアセットは、前記Ｎ個のデータリソースプールの各々が存在するキャリアからなるセットである、
ことを特徴とする請求項１３に記載のリソース設定方法。
【請求項１６】
前記第２の目標方式で制御リソースプールとデータリソースプールを設定するステップは、
１つのリソースプールに、少なくとも１つの前記制御リソース及び少なくとも１つの前記データリソースプールを設定することを含む、
ことを特徴とする請求項１２に記載のリソース設定方法。
【請求項１７】
前記第２の目標方式で制御リソースプールとデータリソースプールを設定するステップは、
１つのリソースプールに、前記制御リソースプールのみ又は前記データリソースプールのみを設定することを含む、
ことを特徴とする請求項１２に記載のリソース設定方法。
【請求項１８】
第１のリソースと第２のリソースを第１の目標方式で多重化することを決定するための第１の設定部を備え、
前記第１のリソースは、ＳＬ上の伝送制御情報に設定される候補リソースであり、前記第２のリソースは、ＳＬ上の伝送データに設定される候補リソースであり、前記第１の目標方式は、時分割多重化（ＴＤＭ）又は周波数分割多重化（ＦＤＭ）である、
ことを特徴とするリソース設定機器。
【請求項１９】
前記第１の目標方式は、プロトコルにより事前定義される、又はネットワークにより事前設定される、又はネットワーク機器により端末機器のために設定される、又は端末機器により自己定義される、又は送信側端末機器により受信側端末機器のために設定されることを特徴とする、請求項１８に記載のリソース設定機器。
【請求項２０】
前記第１の目標方式がネットワーク機器により前記端末機器のために設定されることは、
前記ネットワーク機器が、前記第１のリソースのリソースプールと前記第２のリソースのリソースプールの多重化方式を設定することを含む、
ことを特徴とする請求項１９に記載のリソース設定機器。
【請求項２１】
前記第１の目標方式がネットワーク機器により前記端末機器のために設定されることは、
前記ネットワーク機器によりＵｕインタフェースを介して端末機器のために前記第１の目標方式を設定することを含む、ことを特徴とする請求項１９に記載のリソース設定機器。
【請求項２２】
前記第１の目標方式がネットワーク機器によりＵｕインタフェースを介して前記端末機器のために設定されることは、
前記ネットワーク機器が、前記Ｕｕインタフェースを介して、指示情報が付加される無線リソース制御ＲＲＣシグナリングを前記端末機器に送信すること、
又は、
前記ネットワーク機器が、前記Ｕｕインタフェースを介して、指示情報が付加される下り制御情報ＤＣＩを前記端末機器に送信すること、を含み、
前記指示情報は、前記第１の目標方式を示すために用いられる、
ことを特徴とする請求項２１に記載のリソース設定機器。
【請求項２３】
前記ＲＲＣシグナリングに指示情報が付加されることは、
前記指示情報がＲＲＣシグナリングのうちの少なくとも１つの情報と共同符号化されること、
又は、
前記ＲＲＣシグナリングに、指示情報を載せるための少なくとも１つのターゲットビットを持たせることにより実現される、
ことを特徴とする請求項２２に記載のリソース設定機器。
【請求項２４】
前記ＤＣＩに指示情報が付加されることは、
前記指示情報がＤＣＩシグナリングのうちの少なくとも１つの情報と共同符号化されること、
又は、
前記ＤＣＩに、指示情報を載せるための少なくとも１つのターゲットビットを持たせることにより実現されることを特徴とする、
請求項２２に記載のリソース設定機器。
【請求項２５】
前記第１の目標方式が前記送信側端末機器により前記受信側端末機器のために設定されることは、
前記送信側端末機器によりＰＣ５インタフェースを介して前記受信側端末機器のために前記第１の目標方式を設定することを含む、ことを特徴とする請求項１９に記載のリソース設定機器。
【請求項２６】
前記第１の目標方式が前記送信側端末機器によりＰＣ５インタフェースを介して前記受信側端末機器のために設定されることは、
前記送信側端末機器が、前記ＰＣ５インタフェースを介して、指示情報が付加されるＳＬ制御情報ＳＣＩを前記受信側端末機器に送信すること、
又は、
前記送信側端末機器が、前記ＰＣ５インタフェースを介して、指示情報が付加されるＲＲＣシグナリングを前記受信側端末機器に送信すること、を含み、
前記指示情報は、前記第１の目標方式を示すために用いられる、
ことを特徴とする請求項２５に記載のリソース設定機器。
【請求項２７】
ＤＣＩに指示情報が付加されることは、
前記指示情報が前記ＳＣＩの少なくとも１つの情報と共同符号化されること、
又は、
前記ＳＣＩに、指示情報を載せるための少なくとも１つのターゲットビットを持たせることにより実現される、
ことを特徴とする請求項２６に記載のリソース設定機器。
【請求項２８】
前記ＲＲＣシグナリングに指示情報が付加されることは、
前記指示情報がＲＲＣシグナリングのうちの少なくとも１つの情報と共同符号化されること、
又は、
前記ＲＲＣシグナリングに、指示情報を載せるための少なくとも１つのターゲットビットを持たせることにより実現される、
ことを特徴とする請求項２６に記載のリソース設定機器。
【請求項２９】
第２の目標方式で制御リソースプール及びデータリソースプールを設定するための第２の設定部１３２をさらに備え、
前記制御リソースプールは、前記第１のリソースのリソースプールであり、前記データリソースプールは、前記第２のリソースのリソースプールである、
ことを特徴とする請求項１８に記載のリソース設定機器。
【請求項３０】
前記第２の設定部は、具体的にＭ個の前記リソースプールがＮ個の前記データリソースプールに関連付けるように設定するために用いられ、
Ｍ、Ｎは、非負整数である、ことを特徴とする請求項２９に記載のリソース設定機器。
【請求項３１】
Ｍ、Ｎは、共に正の整数であり、
第１のキャリアセットと第２のキャリアセットとは、共通セットを有し、
前記第１のキャリアセットは、前記Ｍ個の制御リソースプールの各々が存在するキャリアからなるセットであり、第２のキャリアセットは、Ｎ個のデータリソースプールの各々が存在するキャリアからなるセットである、
ことを特徴とする請求項３０に記載のリソース設定機器。
【請求項３２】
Ｍ、Ｎは、正の整数であり、
第１のキャリアセットと第２のキャリアセットとは、共通セットを有さなく、
前記第１のキャリアセットは、前記Ｍ個の制御リソースプールの各々が存在するキャリアからなるセットであり、第２のキャリアセットは、前記Ｎ個のデータリソースプールの各々が存在するキャリアからなるセットである、
ことを特徴とする請求項３０に記載のリソース設定機器。
【請求項３３】
前記第２の設定部は、具体的に１つのリソースプールに少なくとも１つの前記制御リソース及び少なくとも１つの前記データリソースプールを設定するために用いられる、ことを特徴とする請求項２９に記載のリソース設定機器。
【請求項３４】
前記第２の設定部は、具体的に１つのリソースプールに前記制御リソースプールのみ又は前記データリソースプールのみを設定するに用いられる、ことを特徴とする請求項２９に記載のリソース設定機器。
【請求項３５】
メモリと、プロセッサと、前記メモリに記憶され、前記プロセッサで実行可能なコンピュータプログラムとを備え、前記コンピュータプログラムは前記プロセッサによって実行されると、請求項１〜１７のいずれか１項に記載の方法におけるステップが実現される、ことを特徴とする、リソース設定機器。
【請求項３６】
プロセッサによって実行されると、請求項１〜１７のいずれか１項に記載の方法におけるステップが実現されるコンピュータプログラムが記憶されたコンピュータ読み取り可能な記憶媒体。
【発明の詳細な説明】
【技術分野】
【０００１】
本開示は、通信分野に関し、特に、リソース設定方法及び機器に関する。
【背景技術】
【０００２】
サイドリンク（ｓｉｄｅｌｉｎｋ、ＳＬ）通信は、基地局等のネットワーク機器を介さないで端末間で直接通信を行う技術である。ＳＬ通信はリソース利用率及びネットワーク容量の向上を実現することができるので、幅広い分野での適用が期待されている。
【０００３】
一般に、端末機器がデータを受信するプロセスは以下のようになる。まず、制御情報を受信し、受信した制御情報を復調し、トランスポートブロックサイズ、符号化変調方式、設定されたリソースなどを決定し、次にこれらの情報に基づいて該当するリソースにおいてデータを受信し、その後に受信したデータを復調する。通常、時間周波数リソースに対する伝送制御情報のリソースと伝送データのリソースの多重化方式には、時分割多重化（Ｔｉｍｅ−Ｄｉｖｉｓｉｏｎ  Ｍｕｌｔｉｐｌｅｘｉｎｇ、ＴＤＭ）と周波数分割多重化（ｆｒｅｑｕｅｎｃｙ−ｄｉｖｉｓｉｏｎ  ｍｕｌｔｉｐｌｅｘｉｎｇ、ＦＤＭ）の２種類の多重化方式が含まれる。例えば、長期進化（Ｌｏｎｇ  Ｔｅｒｍ  Ｅｖｏｌｕｔｉｏｎ、ＬＴＥ）型端末間の通信（Ｄｅｖｉｃｅ−ｔｏ−Ｄｅｖｉｃｅ、Ｄ２Ｄ）のＳＬでは、（ｓｃｈｅｄｕｌｉｎｇ  ａｓｓｉｇｎｍｅｎｔ）スケジューリング割当情報を載せる物理サイドリンク制御チャネル（Ｐｈｙｓｉｃａｌ  ｓｉｄｅｌｉｎｋ  ｃｏｎｔｒｏｌ  ｃｈａｎｎｅｌ、ＰＳＣＣＨ）と、データを載せる物理サイドリンク共有チャネル（ｐｈｙｓｉｃａｌ  ｓｉｄｅｌｉｎｋ  ｓｈａｒｅｄ  ｃｈａｎｎｅｌ、ＰＳＳＣＨ）は、ＴＤＭ方式で多重化される。また、ＬＴＥ車両インターネット（ｖｅｈｉｃｌｅ  ｔｏ  ｅｖｅｒｙｔｈｉｎｇ、Ｖ２Ｘ）では、ＳＡ情報を載せるＰＳＣＣＨとデータを載せるＰＳＳＣＨは、ＦＤＭ方式で多重化される。ＴＤＭに比べて、ＦＤＭ方式によるデータ伝送の遅延は小さいが、端末機器の処理能力に対する要求は高くなる。しかし、用途によって、端末機器の処理能力、データ伝送の遅延に対する要求が異なる。例えば、遠方の交通状況の提示、天気予報情報などの遅延要求が低い用途では、伝送制御情報のリソースと伝送データリソースがＴＤＭ方式で多重化されると、端末機器に対する性能要求が低くなる。緊急ブレーキ指示、追い越し指示などの遅延要求が厳しい用途では、伝送制御情報のリソース及び伝送データのリソースがＦＤＭ方式で多重化されると、データ伝送の遅延を低減させることができる。
【０００４】
以上のように、どのようにＳＬ上の伝送制御情報のリソース及び伝送データのリソースを設定するかが、早急に解決すべき課題である。
【発明の概要】
【発明が解決しようとする課題】
【０００５】
本発明の実施形態は、どのようにＳＬ上に伝送制御情報のリソース及び伝送データのリソースを設定するかという問題を解決するための、リソース設定方法及び機器を提供することを目的とする。
【課題を解決するための手段】
【０００６】
以上の技術的課題を解決するために、本発明は、以下のように実現される。
【０００７】
第１の態様では、本発明の実施例がリソース設定方法を提供する。当該方法は、
第１のリソースと第２のリソースを第１の目標方式で多重化することを決定するステップを有する。
【０００８】
前記第１のリソースは、ＳＬ上の伝送制御情報に設定される候補リソースであり、前記第２のリソースは、ＳＬ上の伝送データに設定される候補リソースであり、前記第１の目標方式は、時分割多重化（ＴＤＭ）又は周波数分割多重化（ＦＤＭ）である。
【０００９】
第２の態様では、本発明の実施例がリソース設定機器を提供する。当該機器は、
第１のリソースと第２のリソースを第１の目標方式で多重化することを決定するための第１の設定部を備える。
【００１０】
前記第１のリソースは、ＳＬ上の伝送制御情報に設定される候補リソースであり、前記第２のリソースは、ＳＬ上の伝送データに設定される候補リソースであり、前記第１の目標方式は、時分割多重化（ＴＤＭ）又は周波数分割多重化（ＦＤＭ）である。
【００１１】
第３の態様では、本発明の実施例がリソース設定機器を提供する。当該機器は、プロセッサと、メモリと、前記メモリに記憶され、前記プロセッサで実行可能なコンピュータプログラムとを備え、前記コンピュータプログラムは前記プロセッサによって実行されると、第１の態様に記載の方法におけるステップを実現する。
【００１２】
第４の態様では、本発明の実施例は、プロセッサによって実行されると、第１の態様に記載の方法におけるステップを実現するコンピュータプログラムが記憶されたコンピュータ読み取り可能な記憶媒体を提供する。
【００１３】
本発明の実施例が提供するリソース設定方法では、第１のリソースと第２のリソースを第１の目標方式で多重化することが設定される。前記第１のリソースは、ＳＬ上の伝送制御情報に設定される候補リソースであり、前記第２のリソースは、ＳＬ上の伝送データに設定される候補リソースであり、前記第１の目標方式は、ＴＤＭ又はＦＤＭである。即ち、本発明の実施例では、ＳＬ上の伝送制御情報に設定される候補リソースとＳＬ上の伝送データに設定される候補リソースをＴＤＭ方式で多重化する、又はＳＬ上の伝送制御情報に設定される候補リソースとＳＬ上の伝送データに設定される候補リソースをＦＤＭ方式で多重化するように設定される。
【発明の効果】
【００１４】
本発明の実施例では、伝送制御情報の候補リソースと伝送データの候補リソースの多重化方法が提供されるので、ＳＬ上の伝送制御情報のリソースと伝送データのリソースをどのように設定するかという問題を解決することができる。
【図面の簡単な説明】
【００１５】
【図１】本開示の実施例が提供する通信システムのあり得る構成を示す図である。
【図２】本開示の実施例が提供するリソース設定方法におけるステップのフローチャートである。
【図３】本開示の実施例が提供するリソースプールの構成を示す第１の図である。
【図４】本開示の実施例が提供するリソースプールの構成を示す第２の図である。
【図５】本開示の実施例が提供するリソースプールの構成を示す第３の図である。
【図６】本開示の実施例が提供するリソースプールの構成を示す第４の図である。
【図７】本開示の実施例が提供するリソースプールの構成を示す第５の図である。
【図８】本開示の実施例が提供するリソースプールの構成を示す第６の図である。
【図９】本開示の実施例が提供するリソースプールの構成を示す第７の図である。
【図１０】本開示の実施例が提供するリソースプールの構成を示す第８の図である。
【図１１】本開示の実施例が提供するリソースプールの構成を示す第９の図である。
【図１２】本開示の実施例が提供するリソースプールの構成を示す第１０の図である。
【図１３】本開示の実施例が提供するリソース設定機器の構成を示す図である。
【図１４】本開示の実施例が提供するリソース設定機器のハードウェア構成を示す図である。
【発明を実施するための形態】
【００１６】
以下、本開示の実施例における図面を参照しながら、本開示の実施例における技術案を、明確かつ完全に説明するが、勿論、ここに説明される実施例は、あくまで本開示の実施例の一部であり、本開示の全ての実施例ではない。本開示の実施例に基づいて、当業者が格別の創意がなく容易に想到できる他のすべての実施例は、本開示の権利範囲に属するものとする。
【００１７】
本明細書では、用語「及び／又は」は、単なる関連対象の関連関係を説明するためのものであり、３つの種類の関係が存在しうることを示す。例えば、Ａ及び／又はＢは、Ａが単独で存在するケース、ＡとＢとが同時に存在するケース、Ｂが単独で存在するケースの３つのケースを示す。なお、本明細書では、文字「／」は、一般的には、前後の関連対象が「又は」の関係であることを示す。数式では、文字「／」は、前後の関連対象が「除算」の関係であることを示す。また、別途説明がない限り、本明細書における「複数」とは、２つ又はその以上を指す。
【００１８】
本開示の実施例に係る技術的手段を明確に説明するために、本開示の実施例では、「第１の「第２の」などの文言を用いて、機能又は作用がほぼ同じである同一項目又は類似項目を区別する。「第１の」、「第２の」などの文言は数及び実行順序について限定しないことは、当業者に理解され得る。
【００１９】
本開示の実施例では、「例示的には」又は「例えば」などの語は、例、例証又は説明を示すためのものである。本開示の実施例では、「例示的には」又は「例えば」と説明されるいかなる実施例又は設計案は、他の実施例又は設計案より好適であるか又は優位性があると解釈されるべきではない。正確的には、「例示的には」又は「例えば」などの語の使用は、具体的な方式で関連概念を呈することを目的とする。別途説明がない限り、本明細書における「複数」とは、２つ又はその以上を指す。
【００２０】
図１は、本発明の実施形態に係る通信システムの１つのあり得る構成を示す図である。図１に示すように、当該通信システムは、ネットワーク機器１１（図１では、ネットワーク機器を基地局として例示している）と、第１の端末機器１２及び第２の端末機器１３（図１では、第１の端末機器及び第２の端末機器を携帯電話として例示している）とを備えてもよい。ネットワーク機器１１と、第１の端末機器１２と第２の端末機器１３との間は、いずれも無線リソース制御（Ｒａｄｉｏ  Ｒｅｓｏｕｒｃｅ  Ｃｏｎｔｒｏｌ、ＲＲＣ）により無線接続が確立され、第１の端末機器１２と第２の端末機器１３との間にサイドリンクが確立される。  
【００２１】
本発明の実施例に係る通信システムにおけるネットワーク機器１１は、基地局、コアネットワーク機器、送受信ノード（Ｔｒａｎｓｍｉｓｓｉｏｎ  ａｎｄ  Ｒｅｃｅｐｔｉｏｎ  Ｐｏｉｎｔ、ＴＲＰ）、中継局又はアクセスポイント等であってもよい。また、ネットワーク機器１１は、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）又は符号分割多元接続（Ｃｏｄｅ  Ｄｉｖｉｓｉｏｎ  Ｍｕｌｔｉｐｌｅ  Ａｃｃｅｓｓ、ＣＤＭＡ）ネットワークにおけるＢＴＳ（Ｂａｓｅ  Ｔｒａｎｓｃｅｉｖｅｒ  Ｓｔａｔｉｏｎ）であってもよく、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）におけるＮＢ（ＮｏｄｅＢ）であってもよく、ＬＴＥにおけるｅＮＢやｅＮｏｄｅＢ（ｅｖｏｌｕｔｉｏｎａｌ  ＮｏｄｅＢ）であってもよい。ネットワーク機器１１は、クラウド無線アクセスネットワーク（Ｃｌｏｕｄ  Ｒａｄｉｏ  Ａｃｃｅｓｓ  Ｎｅｔｗｏｒｋ、ＣＲＡＮ）のシナリオにおける無線コントローラであってもよい。また、ネットワーク機器１１は、５Ｇ通信システム中の基地局（ｇＮＢ）や将来進化型ネットワーク中のネットワーク機器であってもよい。
【００２２】
第１の端末機器１２及び第２の端末機器１３は、ワイヤレスＵＥであり得る。該ワイヤレスＵＥは、ユーザに音声及び／又は他のトラフィックデータ接続を提供するデバイス、無線通信機能を有するハンドルデバイス、コンピューティングデバイス若しくは無線モデムに接続可能の他の処理デバイス、車載デバイス、ウェアラブルデバイス、将来の５ＧネットワークにおけるＵＥ、又は将来進化型ＰＬＭＮネットワークにおけるＵＥなどであってもよい。無線ＵＥは、無線アクセスネットワーク（Ｒａｄｉｏ  Ａｃｃｅｓｓ  Ｎｅｔｗｏｒｋ、ＲＡＮ）を介して１つ又は複数のコアネットワークと通信することができる。無線ＵＥは、携帯電話（又は「セルラー」電話と呼ばれる）などのモバイル端末や、モバイル端末を有するコンピュータとであってもよく、例えば、無線アクセスネットワークと音声及び／又はデータを交換するポータブル、ポケットサイズ、ハンドヘルド、コンピュータ内蔵型若しくは車載型モバイルデバイスなどであってもよく、さらに、パーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ局（Ｗｉｒｅｌｅｓｓ  Ｌｏｃａｌ  Ｌｏｏｐ、ＷＬＬ）、パーソナルデジタルアシスタント（Ｐｅｒｓｏｎａｌ  Ｄｉｇｉｔａｌ  Ａｓｓｉｓｔａｎｔ、ＰＤＡ）などのデバイスである。また、無線端末は、移動機器、ＵＥ端末、アクセス端末、無線通信機器、端末部、端末局、移動局（Ｍｏｂｉｌｅ  Ｓｔａｔｉｏｎ）、モバイル（Ｍｏｂｉｌｅ）、遠隔局（Ｒｅｍｏｔｅ  Ｓｔａｔｉｏｎ）、遠方局、遠隔端末（Ｒｅｍｏｔｅ  Ｔｅｒｍｉｎａｌ）、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、ユーザエージェント（Ｕｓｅｒ  Ａｇｅｎｔ）、端末機器などであってもよい。本発明の実施形態において、図１は、一例として、端末が携帯電話である場合を示している。
【００２３】
なお、図１に示す通信システムは、本発明の実施例に係る通信システムのあり得る構成図であり、本開示はこれに限定されない。本発明の実施例に係る通信システムは、他のシステムであってもよい。例えば、ネットワーク機器１１を備えなく、上述した第１端末機器１２と第２の端末機器１３のみを備え、第１端末機器１２と第２の端末機器１３との間にはサイドリンクが確立されるシステムであってもよい。
【００２４】
本発明の実施形態が提供するリソース設定方法の実行主体は、上述したｓｉｄｅｌｉｎｋ上の通信の受信側端末機器であってもよく、ｓｉｄｅｌｉｎｋ上の通信の受信側端末機器において、該リソース設定方法を実現可能な機能モジュール及び／又は機能実体であってもよく、具体的には、実際の使用に応じて決定されてもよく、ここでは限定しない。
【００２５】
本発明の実施形態が提供するリソース設定方法は、具体的に、図２に示すように、
Ｓ１１、第１のリソースと第２のリソースを第１の目標方式で多重化することを決定するステップを有する。
【００２６】
前記第１のリソースは、ＳＬ上の伝送制御情報に設定される候補リソースであり、前記第２のリソースは、ＳＬ上の伝送データに設定される候補リソースであり、前記第１の目標方式は、時分割多重化（ＴＤＭ）又は周波数分割多重化（ＦＤＭ）である。
【００２７】
即ち、ＴＤＭでＳＬ上の伝送制御情報に設定される候補リソースと伝送データ設定される候補リソースを多重化する、又はＦＤＭ方式でＳＬ上の伝送制御情報に設定される候補リソースと伝送データ設定される候補リソースを多重化する。
【００２８】
例示的に、制御情報はスケジューリング割当情報（ｓｃｈｅｄｕｌｉｎｇ  ａｓｓｉｇｎｍｅｎｔ、ＳＡ）であってもよい。
【００２９】
任意選択的に、上述の実施形態では、前記第１の目標方式は、以下のいずれかの方式によって決定される。
【００３０】
方式１：前記第１の目標方式がネットワークにより事前設定される。
方式２：前記第１の目標方式がネットワーク機器により端末機器のために設定される。
方式３：前記第１の目標方式が端末機器により自己定義される。
方式４：前記第１の目標方式が送信側端末機器により受信側端末機器のために設定される。
方式５：前記第１の目標方式がプロトコルにより事前定義される；
【００３１】
以下、前記方式２（前記第１の目標方式がネットワーク機器により端末機器のために設定される）の具体的な実現方式について、さらに詳細に説明する。
【００３２】
第１の態様では、前記方式２（前記第１の目標方式がネットワーク機器により端末機器のために設定される）は、
前記ネットワーク機器が、前記第１のリソースのリソースプールと前記第２のリソースのリソースプールの多重化方式を設定することにより実現され得る。
【００３３】
例えば、ネットワーク機器は第１のリソースのリソースプールと第２のリソースのリソースプールの多重化方式をＴＤＭに設定すると、端末機器は第１のリソースのリソースプールから選択した伝送制御情報のリソースと第２のリソースのリソースプールから選択した伝送データのリソースの多重化方式は必然的にＴＤＭとなる。そのため、ネットワーク機器は、前記第１のリソースのリソースプールと第２のリソースのリソースプールの多重化方式をＴＤＭに設定することにより、第１の目標方式をＴＤＭに設定することができる。
【００３４】
また、ネットワーク機器が第１のリソースのリソースプールと第２のリソースのリソースプールの多重化方式をＦＤＭに設定すると、端末機器が第１のリソースのリソースプールから選択した伝送制御情報のリソースと第２のリソースのリソースプールから選択した伝送データのリソースの多重化方式は必然的にＦＤＭとなる。そのため、ネットワーク機器は、前記第１のリソースのリソースプールと第２のリソースのリソースプールの多重化方式をＦＤＭに設定することにより、第１の目標方式をＦＤＭに設定することができる。
【００３５】
第２の態様では、前記方式２（前記第１の目標方式がネットワーク機器により端末機器のために設定される）は、
前記ネットワーク機器がＵｕインタフェースを介して端末機器のために前記第１の目標方式を設定することにより実現され得る。
【００３６】
即ち、ネットワーク機器がＵｕインタフェースを介して端末機器のために前記第１の目標方式を設定する。
【００３７】
任意選択的に、前記第１の目標方式が前記ネットワーク機器によりＵｕインタフェースを介して前記端末機器のために設定されることは、
【００３８】
前記ネットワーク機器は、前記Ｕｕインタフェースを介して、前記第１の目標方式を示す指示情報が付加される無線リソース制御（Ｒａｄｉｏ  Ｒｅｓｏｕｒｃｅ  Ｃｏｎｔｒｏｌ、ＲＲＣ）シグナリングを前記端末機器に送信することを含む。
【００３９】
さらに選択的に、前記ＲＲＣシグナリングには指示情報が付加されることは、
前記指示情報がＲＲＣシグナリングのうちの少なくとも１つの情報と共同符号化されることにより実現される。
【００４０】
さらに選択的に、前記ＲＲＣシグナリングに指示情報が付加されることは、
前記ＲＲＣシグナリングに、指示情報を載せるための少なくとも１つのターゲットビットを持たせることにより実現される。
【００４１】
任意選択的に、前記第１の目標方式が前記ネットワーク機器によりＵｕインタフェースを介して前記端末機器のために設定されることは、
前記ネットワーク機器は、前記Ｕｕインタフェースを介して、前記第１の目標方式を示す指示情報が付加される下り制御情報（Ｄｏｗｎｌｉｎｋ  Ｃｏｎｔｒｏｌ  Ｉｎｆｏｒｍａｔｉｏｎ、ＤＣＩ）を前記端末機器に送信することを含む。
【００４２】
さらに選択的に、前記ＤＣＩに指示情報が付加されることは、
前記指示情報が前記ＤＣＩのうちの少なくとも１つの情報と共同符号化されることにより実現される。
【００４３】
さらに選択的に、前記ＤＣＩに指示情報が付加される方法は、
前記ＤＣＩに、指示情報を載せるための少なくとも１つのターゲットビットを持たせることにより実現される。
【００４４】
第３の態様では、前記方式２（前記第１の目標方式がネットワーク機器により端末機器のために設定される）は、さらに、
前記ネットワーク機器によりＰＣ５インタフェースを介して端末機器のために前記第１の目標方式を設定することにより実現され得る。
【００４５】
即ち、ネットワーク機器がＰＣ５インタフェースを介して端末機器のために前記第１の目標方式を設定する。
【００４６】
任意選択的に、前記第１の目標方式が前記ネットワーク機器によりＰＣ５インタフェースを介して前記端末機器のために設定されることは、
前記ネットワーク機器は、前記ＰＣ５インタフェースを介して、前記第１の目標方式を示す指示情報が付加されるＳＬ制御情報（Ｓｉｄｅｌｉｎｋ  Ｃｏｎｔｒｏｌ  Ｉｎｆｏｒｍａｔｉｏｎ、ＳＣＩ）を前記端末機器に送信することを含む。
【００４７】
さらに選択的に、前記ＳＣＩに指示情報が付加されることは、
前記指示情報が前記ＳＣＩのうちの少なくとも１つの情報と共同符号化されることにより実現される。
【００４８】
さらに選択的に、前記ＳＣＩに指示情報が付加されることは、
前記ＳＣＩに、指示情報を載せるための少なくとも１つのターゲットビットを持たせることにより実現される。
【００４９】
任意選択的に、前記第１の目標方式が前記ネットワーク機器によりＰＣ５インタフェースを介して端末機器のために設定されることは、
前記ネットワーク機器は、前記ＰＣ５インタフェースを介して、前記第１の目標方式を示す指示情報が付加されるＲＲＣシグナリングを前記端末機器に送信することを含む。
【００５０】
さらに選択的に、前記ＲＲＣシグナリングに指示情報が付加されることは、
前記指示情報が前記ＲＲＣシグナリングのうちの少なくとも１つの情報と共同符号化されることにより実現される。
【００５１】
さらに選択的に、前記ＲＲＣシグナリングに指示情報が付加されることは、
前記ＲＲＣシグナリングに、指示情報を載せるための少なくとも１つのターゲットビットを持たせることにより実現される。
【００５２】
以下、前記方式４（前記第１の目標方式が送信側端末機器により受信側端末機器のために設定される）の具体的な実現方式について、さらに詳細に説明する。
【００５３】
前記方式４（前記第１の目標方式が送信側端末機器により受信側端末機器のために設定される）は、
前記送信側端末機器によりＰＣ５インタフェースを介して前記受信側端末機器のために前記第１の目標方式を設定することを含む。
【００５４】
任意選択的に、前記送信側端末機器によりＰＣ５インタフェースを介して前記受信側端末機器のために前記第１の目標方式を設定することは、
前記送信側端末機器は、前記ＰＣ５インタフェースを介して、前記第１の目標方式を示す指示情報が付加されるＳＬ制御情報（Ｓｉｄｅｌｉｎｋ  Ｃｏｎｔｒｏｌ  Ｉｎｆｏｒｍａｔｉｏｎ、ＳＣＩ）ＳＣＩを前記受信側端末機器に送信することを含む。
【００５５】
さらに選択的に、前記ＳＣＩに指示情報が付加されることは、
前記指示情報が前記ＳＣＩのうちの少なくとも１つの情報と共同符号化されることにより実現される。
【００５６】
さらに選択的に、前記ＳＣＩに指示情報が付加されることは、
前記ＳＣＩに、指示情報を載せるための少なくとも１つのターゲットビットを持たせることにより実現される。
【００５７】
任意選択的に、送信側端末機器によりＰＣ５インタフェースを介して受信側端末機器のために前記第１の目標方式を設定することは、
前記送信側端末機器は、前記ＰＣ５インタフェースを介して、前記第１の目標方式を示す指示情報が付加されるＲＲＣシグナリングを前記送信側端末機器に送信することを含む。
【００５８】
さらに選択的に、前記ＲＲＣシグナリングに指示情報が付加されることは、
前記指示情報が前記ＲＲＣシグナリングのうちの少なくとも１つの情報と共同符号化されることにより実現される。
【００５９】
さらに選択的に、前記ＲＲＣシグナリングに指示情報が付加されることは、
前記ＲＲＣシグナリングに、前記指示情報を載せるための少なくとも１つのターゲットビットを持たせることにより実現される。
【００６０】
本開示の実施例が提供するリソース設定方法では、第１のリソースと第２のリソースを第１の目標方式で多重化することが設定される。前記第１のリソースは、ＳＬ上の伝送制御情報に設定される候補リソースであり、前記第２のリソースは、ＳＬ上の伝送データに設定される候補リソースであり、前記第１の目標方式は、ＴＤＭ又はＦＤＭである。即ち、本発明の実施例では、ＳＬ上の伝送制御情報に設定される候補リソースとＳＬ上の伝送データに設定される候補リソースをＴＤＭ方式で多重化する、又はＳＬ上の伝送制御情報に設定される候補リソースとＳＬ上の伝送データに設定される候補リソースをＦＤＭ方法で多重化するように設定される。本発明の実施例では、伝送制御情報の候補リソースと伝送データの候補リソースの多重化方法が提供されるので、ＳＬ上の伝送制御情報のリソースと伝送データのリソースをどのように設定するかという問題を解決することができる。
【００６１】
また、上述の実施例が提供するリソース設定方法は、さらに、
第２の目標方式で制御リソースプール及びデータリソースプールを設定するステップを含む。
【００６２】
前記制御リソースプールは、前記第１のリソースのリソースプールであり、前記データリソースプールは、前記第２のリソースのリソースプールである。
【００６３】
任意選択的に、上述した第２の目標方式で制御リソースプール及びデータリソースプールを設定するステップは、
Ｍ個の前記制御リソースプールがＮ個の前記データリソースプールに関連付けられるように設定することを含む。
【００６４】
Ｍ、Ｎは、非負整数である。
【００６５】
例示的に、図３に示すように、前記したＭ個の前記制御リソースプールがＮ個の前記データリソースプールに関連付けられるように設定することは、具体的に、１個の制御リソースプール３１が１個のデータリソースプール３２に関連付けられるように設定することであり得る。
【００６６】
例示的に、図４に示すように、前記したＭ個の前記制御リソースプールがＮ個の前記データリソースプールに関連付けられるように設定することは、具体的に、１個の制御リソースプール３１が複数のデータリソースプール３２に関連付けられるように設定することであり得る。図４において、１個の制御リソースプール３１が２個のデータリソースプール３２に関連付けられるように設定する場合を例示している。
【００６７】
例示的に、図５に示すように、前記したＭ個の前記制御リソースプールがＮ個の前記データリソースプールに関連付けられるように設定することは、具体的に、複数の制御リソースプール３１が１個のデータリソースプール３２に関連付けられるように設定ことであり得る。図５において、２個の制御リソースプール３１が１個のデータリソースプール３２に関連付けられるように設定する場合を例示している。
【００６８】
さらに、Ｍ個の前記制御リソースプールがＮ個の前記データリソースプールに関連付けられるように設定され、Ｍ、Ｎが共に正の整数である場合、第１のキャリアセットと第２のキャリアセットとは、共通セットを有し得る。
【００６９】
前記第１のキャリアセットは、前記Ｍ個の制御リソースプールの各々が存在するキャリアからなるセットである。前記第２のキャリアセットは、前記Ｎ個のデータリソースプールの各々が存在するキャリアからなるセットである。
【００７０】
例示的に、図６は、２個の制御リソースプール３１が１個のデータリソースプール３２に関連付けられるように設定する場合を例示している。図６に示すように、Ｍ個の制御リソースプール３１の各々が存在するキャリアからなる第１のキャリアセットは、キャリアＡとキャリアＢを含む。Ｎ個のデータリソースプール３２の各々が存在するキャリアからなる第２のキャリアセットは、キャリアＡを含む。このとき、第１のキャリアセットと第２のキャリアセットとは、共通セットを有し、且つ、当該共通セットはキャリアＡである。
【００７１】
なお、第１のキャリアセットと第２のキャリアセットとは共通セットを有する場合、Ｍ個の制御リソースプールの各々が存在する周波数セットとＮ個のデータリソースプールの各々が存在する周波数セットとは、共通セットを有さなくてもよい。例示的に、図７に示すように、第１のキャリアセットと第２のキャリアセットとは共通セットを有し、且つ唯一の共通セットはキャリアＣであり、Ｍ個の制御リソースプールの各々が存在する周波数セットは、キャリアＣの一部の周波数（周波数ｂから周波数ｃ）のみを含み、一方、Ｎ個のデータリソースプールの各々が存在する周波数セットはキャリアＣの他の一部の周波数（周波数ａ〜周波数ｂ）のみを含む場合、第１のキャリアセットと第２のキャリアセットとは、共通セット（キャリアＣ）を有しており、Ｍ個の制御リソースプールの各々が存在する周波数セットとＮ個のデータリソースプールの各々が存在する周波数セットとは、共通セットを有さなくてもよい。
【００７２】
さらに、Ｍ個の前記制御リソースプールがＮ個の前記データリソースプールに関連付けられるように設定され、Ｍ、Ｎが共に正の整数である場合、第１のキャリアセットと第２のキャリアセットとは、共通セットを有さなくてもよい。
【００７３】
前記第１のキャリアセットは、前記Ｍ個の制御リソースプールの各々が存在するキャリアからなるセットである。第２のキャリアセットは、前記Ｎ個のデータリソースプールの各々が存在するキャリアからなるセットである。
【００７４】
例示的に、図８は、１個の制御リソースプール３１が２個のデータリソースプール３２に関連付けられる場合を例示している。図８に示すように、Ｍ個の制御リソースプール３１の各々が存在するキャリアからなる第１のキャリアセットは、キャリアＡを含み、一方、Ｎ個のデータリソースプール３２の各々が存在するキャリアからなる第２のキャリアセットは、キャリアＢとキャリアＣを含む。このとき、第１のキャリアセットと第２のキャリアセットとは、共通セットを有さない。
【００７５】
任意選択的に、前記した第２の目標方式で制御リソースプール及びデータリソースプールを設定するステップは、
１つのリソースプールに、少なくとも１つの前記制御リソースプール及び少なくとも１つの前記データリソースプールを設定することを含む。
【００７６】
例示的に、図９に示すように、図９のａ、ｂ、ｃ、ｄにおいて、いずれも１個のリソースプールに１個の制御リソースプール及び２個のデータリソースプールを設定する場合を例示している。図９のａにおいて、制御リソースプールとデータリソースプールとは、時間領域が異なり、周波数領域が同じであり、２つのデータリソースプールは時間領域が同じで、周波数領域が異なる。図９のｂにおいて、制御リソースプールとデータリソースプールとは、時間領域が異なり、周波数領域で同じであり、２つのデータリソースプールは時間領域が異なり、周波数領域で同じである。図９のｃにおいて、制御リソースプールとデータリソースプールとは、時間領域が同じで、周波数領域が異なり、２つのデータリソースプールは時間領域が同じで、周波数領域が異なる。図９のｄにおいて、制御リソースプールとデータリソースプールとは、時間領域が同じで、周波数領域が異なり、２つのデータリソースプールは時間領域が異なり、周波数領域が同じである。
【００７７】
任意選択的に、上述した第２の目標方式で制御リソースプール及びデータリソースプールを設定するステップは、
１つのリソースプールに、前記制御リソースのみ又は前記データリソースプールのみを設定することを含む。
【００７８】
例示的に、図１０は、１個のリソースプールを制御リソースプールとし、２個のリソースプールをデータリソースプールとし、計３つのリソースプールを設定する場合を例示している。図１０において、制御リソースプール３１とデータリソースプール３２とは、それぞれ異なるリソースプールに存在する。
【００７９】
以下、ＵＥが第２の目標方式で設定された制御リソースプールとデータリソースプールから、ＳＬ上の伝送制御情報とＳＬ上のデータを選択して送信する方法について説明する。
【００８０】
方案１：
ネットワークは制御リソースプールとデータリソースプールの多重化方式をＦＤＭに事前設定し、第２の目標方式で設定されたリソースプールは、図１１に示すように、各々が１個の制御リソースプール３１と１個のデータリソースプール３２とを含む、３つのリソースプール（リソースプール＃１、リソースプール＃２、リソースプール＃３）を有し、同じリソースプールに存在する制御リソースプールとデータリソースプールとは関連付けられ、リソースプール＃１とリソースプール＃２内の制御リソースプールとデータリソースプールの多重化方式はＦＤＭであり、リソースプール＃２内の制御リソースプールとデータリソースプールの多重化方式はＴＤＭである場合、ＵＥはリソースプール＃１又はリソースプール＃２内の第１のリソースと第２のリソースを選択して、制御情報とデータの伝送を実行する。
【００８１】
方案２：
ネットワークは制御リソースプールとデータリソースプールの多重化方式をＴＤＭに事前設定し、第２の目標方式で設定されたリソースプールは、図１２に示すように、３つのリソースプール（リソースプール＃１、リソースプール＃２、リソースプール＃３）を有し、リソースプール＃１は制御リソースプールに設定され、リソースプール＃２とリソースプール＃３はデータリソースプールに設定され、制御リソースプールは２個のデータリソースプールの両方に関連付けられ、リソースプール＃１とリソースプール＃２の多重化方式はＴＤＭで、リソースプール＃１とリソースプール＃３の多重化方式はＦＤＭである場合、ＵＥはリソースプール＃１内の第１のリソースを選択して制御情報の伝送を実行し、リソースプール＃２の第２のリソースを選択してデータの伝送を実行する。
【００８２】
方案３：
端末機器は制御リソースプールとデータリソースプールの多重化方式をＦＤＭに自己定義し、第２の目標方式で設定されたリソースプールは、図１１に示すように、各々が１個の制御リソースプール３１と１個のデータリソースプール３２とを含む３つのリソースプール（リソースプール＃１、リソースプール＃２、リソースプール＃３）を有し、同じリソースプール中の制御リソースプールがデータリソースプールに関連付けられ、リソースプール＃１とリソースプール＃２内の制御リソースプールとデータリソースプールの多重化方式はＦＤＭであり、リソースプール＃２内の制御リソースプールとデータリソースプールの多重方式はＴＤＭである場合、ＵＥはリソースプール＃１又はリソースプール＃２内の第１のリソースと第２のリソースを選択して、制御情報とデータの伝送を実行する。  
【００８３】
方案４：
端末機器は制御リソースプールとデータリソースプールの多重化方式をＦＤＭに自己定義し、第２の目標方式で設定されたリソースプールは、図１２に示すように、３つのリソースプール（リソースプール＃１、リソースプール＃２、リソースプール＃３）を有し、リソースプール＃１が制御リソースプールに設定され、リソースプール＃２とリソースプール＃３がデータリソースプールに設定され、制御リソースプールが２個のデータリソースプールに関連付けられ、リソースプール＃１とリソースプール＃２の多重化方式はＴＤＭで、リソースプール＃１とリソースプール＃３の多重化方式はＦＤＭである場合、ＵＥはリソースプール＃１内の第１のリソースを選択して制御情報の伝送を実行し、リソースプール＃２内の第２のリソースを選択してデータの伝送を実行する。
【００８４】
方案５：
ネットワーク機器はＲＲＣシグナリング（例えば、ＳＩＢ）を送信し、ＲＲＣシグナリングには、制御リソースプールとデータリソースプールの多重化方式がＦＤＭであることを示す指示情報が付加され、かつ第２の目標方式で設定されたリソースプールが図１１に示すようである場合、ＵＥは、リソースプール＃１又はリソースプール＃２内の第１のリソースと第２のリソースを選択し、制御情報とデータの伝送を実行する。
【００８５】
方案６：
ネットワーク機器はＲＲＣシグナリング（例えば、ＳＩＢ）を送信し、ＲＲＣシグナリングには、制御リソースプールとデータリソースプールの多重化方式がＴＤＭであることを示す指示情報が付加され、かつ第２の目標方式で設定されたリソースプールが図１２に示すようである場合、ＵＥは、リソースプール＃１内の第１のリソースを選択して制御情報の伝送を実行し、リソースプール＃２内の第２のリソースを選択してデータの伝送を実行する。
【００８６】
方案７：
送信側端末機器はＳＣＩを送信し、ＳＣＩには、制御リソースプールとデータリソースプールの多重化方式がＦＤＭであることを示す指示情報が付加され、かつ第２の目標方式で設定されたリソースプールが図１１に示すようである場合、ＵＥは、リソースプール＃１とリソースプール＃２内の第１のリソース又は第２のリソースを選択して、制御情報とデータの伝送を実行する。
【００８７】
方案８：
送信側端末機器はＳＣＩを送信し、ＳＣＩには、制御リソースプールとデータリソースプールの多重化方式がＴＤＭであることを示す指示情報が付加され、かつ第２の目標方式で設定されたリソースプールが図１２に示すようである場合、ＵＥは、リソースプール＃１内の第１のリソースを選択して制御情報の伝送を実行し、リソースプール＃２内の第２のリソースを選択してデータの伝送を実行する。
【００８８】
方案９：
ネットワーク機器はＤＣＩシグナリングを送信し、ＤＣＩシグナリングには、制御リソースプールとデータリソースプールの多重化方式がＦＤＭであることを示す指示情報が付加され、かつ第２の目標方式で設定されたリソースプールが図１１に示すようである場合、ＵＥは、リソースプール＃１とリソースプール＃２中の第１のリソース又は第２のリソースを選択して、制御情報とデータの伝送を実行する。  
【００８９】
方案１０：
ネットワーク機器はＤＣＩシグナリングを送信し、ＤＣＩシグナリングには、制御リソースプールとデータリソースプールの多重化方式がＴＤＭであることを示す指示情報が付加され、かつ第２の目標方式で設定されたリソースプールが図１２に示すようである場合、ＵＥは、リソースプール＃１内の第１のリソースを選択して制御情報の伝送を実行し、リソースプール＃２内の第２のリソースを選択してデータの伝送を実行する。
【００９０】
方案１１：
ネットワーク機器はＳＬＲＲＣシグナリング（例えば、ＭＩＢ−ＳＬ、ＭＩＢ−ＳＬ−Ｖ２Ｘ）を送信し、ＲＲＣシグナリングには、制御リソースプールとデータリソースプールの多重化方式がＴＤＭであることを示す指示情報が付加され、かつ第２の目標方式で設定されたリソースプールが図１２に示すようである場合、ＵＥは、リソースプール＃１内の第１のリソースを選択して制御情報の伝送を実行し、リソースプール＃２内の第２のリソースを選択してデータの伝送を実行する。
【００９１】
さらに、本発明の実施形態は、リソース設定機器を提供する。具体的に、図１３に示すように、該リソース設定機器１３０は、
第１のリソースと第２のリソースを第１の目標方式で多重化することを設定するための第１の設定部１３１を備える。
【００９２】
前記第１のリソースは、ＳＬ上の伝送制御情報に設定される候補リソースであり、前記第２のリソースは、ＳＬ上の伝送データに設定される候補リソースであり、前記第１の目標方式は、ＴＤＭ又はＦＤＭである。
【００９３】
任意選択的に、前記第１の目標方式は、プロトコルにより事前定義される、又はネットワークにより事前設定される、又はネットワーク機器により端末機器のために設定される、又は端末機器により自己定義される、又は送信側端末機器により受信側端末機器のために設定される。
【００９４】
任意選択的に、前記第１の目標方式がネットワーク機器により前記端末機器のために設定されることは、
前記ネットワーク機器が、前記第１のリソースのリソースプールと前記第２のリソースのリソースプールの多重化方式を設定することを含む。
【００９５】
任意選択的に、前記第１の目標方式がネットワーク機器により前記端末機器のために設定されることは、
前記ネットワーク機器がＵｕインタフェースを介して端末機器のために前記第１の目標方式を設定することを含む。
【００９６】
任意選択的に、前記第１の目標方式が前記ネットワーク機器によりＵｕインタフェースを介して前記端末機器のために設定されることは、
前記ネットワーク機器が、前記Ｕｕインタフェースを介して、指示情報が付加される無線リソース制御シグナリングを前記端末機器に送信すること、
又は、
前記ネットワーク機器が、前記Ｕｕインタフェースを介して、指示情報が付加される下り制御情報（ＤＣＩ）を前記端末機器に送信すること、を含む。
【００９７】
ここで、前記指示情報は、前記第１の目標方式を示すために用いられる。
【００９８】
任意選択的に、前記ＲＲＣシグナリングに指示情報が付加されることは、
前記指示情報がＲＲＣシグナリングの少なくとも１つの情報と共同符号化されること、
又は、
前記ＲＲＣシグナリングに、前記指示情報を載せるためのビットである少なくとも１つのターゲットビットを持たせることにより実現される。
【００９９】
任意選択的に、前記ＤＣＩに指示情報が付加されることは、
前記指示情報が前記ＤＣＩのうちの少なくとも１つの情報と共同符号化されること、
又は、
前記ＤＣＩに、前記指示情報を載せるための少なくとも１つのターゲットビットを持たせることにより実現される。
【０１００】
任意選択的に、前記第１の目標方式が送信側端末機器により受信側端末機器のために設定されることは、
前記送信側端末機器によりＰＣ５インタフェースを介して前記受信側端末機器のために前記第１の目標方式を設定することを含む。
【０１０１】
任意選択的に、前記第１の目標方式が送信側端末機器によりＰＣ５インタフェースを介して前記受信側端末機器のために設定されることは、
前記送信側端末機器が、前記ＰＣ５インタフェースを介して、前記受信側端末機器に指示情報が付加されるＳＬ制御情報ＳＣＩを送信すること、
又は、
前記送信側端末機器が、前記ＰＣ５インタフェースを介して、前記受信側端末機器に指示情報が付加されるＲＲＣシグナリングを送信することを含む。
【０１０２】
前記指示情報は、前記第１の目標方式を示すために用いられる。
【０１０３】
任意選択的に、前記ＳＣＩに指示情報が付加されることは、
前記指示情報が前記ＳＣＩの少なくとも１つとの情報と共同符号化されること、
又は、
前記ＳＣＩに、指示情報を載せるための少なくとも１つのターゲットビットを持たせることにより実現される。
【０１０４】
任意選択的に、前記ＲＲＣシグナリングに指示情報が付加されることは、
前記指示情報がＲＲＣシグナリング中の少なくとも１つと共同符号化されること、
又は、
前記ＲＲＣシグナリングに、指示情報を載せるための少なくとも１つのターゲットビットを持たせることにより実現される。
【０１０５】
任意選択的に、図１３に示すように、前記機器１３０は、さらに、
第２の目標方式で制御リソースプール及びデータリソースプールを設定するための第２の設定部１３２を備える。
【０１０６】
前記制御リソースプールは、前記第１のリソースのリソースプールであり、前記データリソースプールは、前記第２のリソースのリソースプールである。
【０１０７】
任意選択的に、前記第２の設定部１３２は、具体的に、Ｍ個の前記リソースプールがＮ個の前記データリソースプールに関連付けられるように設定することに用いられる。
【０１０８】
Ｍ、Ｎは、非負整数である。
【０１０９】
任意選択的に、Ｍ、Ｎは共に正の整数である。
【０１１０】
第１のキャリアセットと第２のキャリアセットとは、共通セットを有する。
【０１１１】
前記第１のキャリアセットは、前記Ｍ個の制御リソースプールの各々が存在するキャリアからなるセットである。第２のキャリアセットは、Ｎ個のデータリソースプールの各々が存在するキャリアからなるセットである。
【０１１２】
任意選択的に、Ｍ、Ｎは共に正の整数である。
【０１１３】
第１のキャリアセットと第２のキャリアセットとは、共通セットを有さない。
【０１１４】
前記第１のキャリアセットは、前記Ｍ個の制御リソースプールの各々が存在するキャリアからなるセットである。前記第２のキャリアセットは、Ｎ個のデータリソースプールの各々が存在するキャリアからなるセットである。
【０１１５】
任意選択的に、前記第２の設定部１３２は、具体的に、１つのリソースプールに少なくとも１つの前記制御リソース及び少なくとも１つのデータリソースプールを設定することに用いられる。
【０１１６】
任意選択的に、前記第２の設定部１３２は、具体的に、１つのリソースプールに、１つのみの前記制御リソース又は前記リソースプールを設定することに用いられる。
【０１１７】
本開示の実施例が提供するリソース設定機器は、第１のリソースと第２のリソースを第１の目標方式で多重化するように設定する。前記第１のリソースは、ＳＬ上の伝送制御情報に設定される候補リソースであり、前記第２のリソースは、ＳＬ上の伝送データに設定される候補リソースであり、前記第１の目標方式は、ＴＤＭ又はＦＤＭである。即ち、本発明の実施例では、ＳＬ上の伝送制御情報に設定される候補リソースとＳＬ上の伝送データに設定される候補リソースをＴＤＭ方式で多重化する、又はＳＬ上の伝送制御情報に設定される候補リソースとＳＬ上の伝送データに設定される候補リソースをＦＤＭ方式で多重化するように設定される。本発明の実施例では、伝送制御情報の候補リソースと伝送データの候補リソースの多重化方法が提供されるので、ＳＬ上の伝送制御情報のリソースと伝送データのリソースをどのように設定するかという問題を解決することができる。
【０１１８】
図１４は本発明の実施例におけるリソース設定機器のハードウェア構成を示す図である。前記リソース設定機器１４０は、無線周波数部１０１、ネットワークモジュール１０２、音声出力部１０３、入力部１０４、センサ１０５、表示部１０６、ユーザ入力部１０７、インタフェース部１０８、メモリ１０９、プロセッサ１１０、及び電源１１１などの部品を含むが、これらに限定されない。図１４に示すリソース設定機器の構成は、限定的なものではなく、図示以上又は以下の部品、又はいくつかの部品の組み合わせ、又は異なる部品を含めてもよく、当業者であれば、それらを容易に想到することができる。本開示の実施形態では、リソース設定機器は携帯電話、タブレット、ノートパソコン、パームトップ、車載端末、装着可能機器、歩数計などを含むが、これらに限定されない。
【０１１９】
無線周波数部１０１は、第１のリソースと第２のリソースを第１の目標方式で多重化することを決定するために用いられる。
【０１２０】
前記第１のリソースは、ＳＬ上の伝送制御情報に設定される候補リソースであり、前記第２のリソースは、ＳＬ上の伝送データに設定される候補リソースであり、前記第１の目標方式は、ＴＤＭ又はＦＤＭである。
【０１２１】
容易に理解されるだろうが、本開示の実施形態では、無線周波数部１０１は情報の送受信若しくは通話中における信号の送受信を行うために用いられることができる。具体的には、基地局からのダウンリンクデータを受信した後、プロセッサ６１０に処理させる。また、アップリンクデータを基地局に送信する。一般に、無線周波数部１０１はアンテナ、少なくとも１つの増幅器、送受信機、結合器、低雑音増幅器、デュプレクサなどを含むが、これらに限定されない。さらに、無線周波数部１０１は無線通信システムによってネットワーク及び他の機器と通信することもできる。
【０１２２】
リソース設定機器１４０はネットワークモジュール１０２を介して、ユーザに、電子メールの送受信、ウェブページの閲覧、ストリーミングメディアへのアクセスなどの無線ブロードバンドインターネットアクセスを提供する。
【０１２３】
音声出力部１０３は、無線周波数部１０１若しくはネットワークモジュール１０２が受信した又はメモリ１０９に記憶された音声データを音声信号に変換して音声として出力することができる。さらに、音声出力部１０３はリソース設定機器１４０が実行する特定機能に関連する音声出力（例えば、呼び出し信号の受信音、メッセージの着信音など）を提供することもできる。音声出力部１０３はスピーカ、ブザー及び受話器などを含む。
【０１２４】
入力部１０４は音声若しくは映像信号を受信するために用いられる。入力部１０４は図学処理装置（ＧｒａｐｈｉｃｓＰｒｏｃｅｓｓｉｎｇＵｎｉｔ、ＧＰＵ）１０４１及びマイクロフォン１０４２を含むことができ、ＧＰＵ１０４１はビデオ撮影モード又は画像撮影モードで撮影装置（例えば、カメラ）によって撮影された静止画像又は動画画像の画像データを処理する。処理された画像フレームは、表示ユニット１０６に表示されてもよい。図学処理装置１０４１によって処理された画像フレームはメモリ１０９（若しくは他の記憶媒体）に記憶されてもよく、又は無線周波数部１０１若しくはネットワークモジュール１０２を介して送信されてもよい。マイクロフォン１０４２は音声を受信し、該音声を音声データに処理することができる。処理された音声データは電話通話モードの場合に、無線周波数部１０１を介して移動通信基地局に送信可能なフォーマットに変換されて出力される。
【０１２５】
リソース設定機器１４０は光センサ、モーションセンサ、及び他のセンサなどのような少なくとも１つのセンサ１０５をさらに備える。具体的には、光センサは、周辺光の明暗によって表示パネル１０６１の輝度を調節することができる周辺光センサと、リソース設定機器１４０が耳元に移動すると表示パネル１０６１及び／又はバックライトを消灯することができる近接センサとを含む。モーションセンサの１つとして、加速度計センサは、複数の方向（一般的には３軸）の加速度の大きさを検出し、静止時に重力の大きさ及び方向を検出することができ、リソース設定機器の姿勢（例えば、縦横画面の切り替え、関連するゲーム、磁力計の姿勢較正など）、振動認識関連機能（例えば、歩数計、タップ）などを識別するために使用されてもよい。センサ１０５は、指紋センサ、圧力センサ、虹彩センサ、分子センサ、ジャイロスコープ、気圧計、湿度計、温度計、赤外線センサなどをさらに含んでもよいが、ここでその説明は省略する。
【０１２６】
表示部１０６は、ユーザが入力した情報やユーザに提供する情報を表示するために用いられる。表示部１０６は、表示パネル１０６１を含み、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態でパネル１０６１を構成する。
【０１２７】
ユーザ入力部１０７は、数字や文字の入力を受け付け、リソース設定機器のユーザ設定や機能制御に関するキー信号入力の生成を行うために用いられる。具体的には、ユーザ入力部１０７は、タッチパネル１０７１と、他の入力装置３７２とを含むことができる。タッチパネル１０７１は、タッチスクリーンとも呼ばれ、ユーザがタッチパネル１０７１上又はその付近で行うタッチ操作（例えば、ユーザが指やスタイラス等を用いてタッチパネル１０７１上又はタッチパネル１０７１の付近で行う操作）を受け付ける。タッチパネル１０７１は、タッチ検出装置とタッチコントローラとの２つの部分を備えてもよい。タッチ検出装置は、ユーザのタッチ方位を検出し、タッチ操作がもたらす信号を検出して、信号をタッチコントローラに伝送する。タッチコントローラは、タッチ検出装置からタッチ情報を受信し、それをタッチ点座標に変換して、プロセッサ１１０に送り、プロセッサ１１０からのコマンドを受信して実行する。また、タッチパネル１０７１は、抵抗式、静電容量式、赤外線、表面弾性波等の複数のタイプにより実現することができる。ユーザ入力部１０７１は、タッチパネル１０７の他に、他の入力装置１０７２をさらに備えてもよい。具体的には、他の入力装置１０７２は、物理キーボード、機能キー（例えば、音量調節ボタン、スイッチボタン等）、トラックボール、マウス、ジョイスティックを含むことができるが、これらに限定されない。
【０１２８】
また、タッチパネル１０７１は、表示パネル１０６１に重ねられ、タッチパネル１０７１上又はその付近でタッチ操作が検出されると、プロセッサ１１０に送信してタッチイベントの種類を判定し、その後、プロセッサ１１０は、タッチイベントの種類に応じて表示パネル１０６１上に対応する視覚出力を提供する。図１４では、タッチパネル１０７１と表示パネル１０６１が、リソース設定機器の入力機能及び出力機能を実現するために、互いに独立した２つの構成要素として示されているが、実施例によっては、タッチパネル１０７１と表示パネル１０６１が一体化されてリソース設定機器の入出力機能を実現することもでき、特に制限はない。
【０１２９】
インタフェース部１０８は、外部デバイスとリソース設定機器１４０とを接続するためのインタフェースである。例えば、外部デバイスは、有線又は無線ヘッドフォンポート、外部電源（又はバッテリチャージャ）ポート、有線又は無線データポート、メモリカードポート、識別モジュールを有するデバイスを接続するためのポート、オーディオ入出力（Ｉ／Ｏ）ポート、ビデオＩ／Ｏポートヘッドフォンポートなどを含むことができる。インタフェース部１０８は、外部デバイスから入力（例えば、データ情報、電力など）を受信し、受信した入力をリソース設定機器１４０内の１つ以上の要素に伝送するために用いられてもよく、又はリソース設定機器１４０と外部デバイスとの間でデータを伝送するために用いられてもよい。
【０１３０】
メモリ１０９は、ソフトウェアプログラムや各種データを記憶するために用いられる。メモリ１０９は、オペレーティングシステム、サウンド再生機能、イメージ再生機能などの少なくとも１つの機能に必要なアプリケーションなどを記憶するプログラム記憶領域と、携帯電話機の使用に応じて作成されたデータ（例えば、音声データ、電話帳等）を記憶するデータ記憶領域とを主に含むことができる。また、メモリ１０９は、高速ランダムアクセスメモリを含んでもよく、少なくとも１つのディスク記憶デバイス、フラッシュメモリデバイスなどの不揮発性メモリ、又は他の揮発性固体記憶デバイスを含んでもよい。
【０１３１】
プロセッサ１１０は、リソース設定機器全体の各部を各種インタフェース及び回線で接続し、メモリ１０９に格納されたソフトウェアプログラムやモジュールを実行又は実現し、メモリ１０９に格納されたデータを呼び出すことで、リソース設定機器の各種機能や処理データを実行し、リソース設定機器をモニタリングする端末の制御センタである。プロセッサ１１０は、１つ以上の処理部を含んでもよく、オプションとして、プロセッサ１１０は、オペレーティングシステム、ユーザインタフェース、アプリケーションなどを主に処理するアプリケーションプロセッサと、ワイヤレス通信を主に処理するモデムプロセッサとを統合することができる。なお、上記のモデムプロセッサは、プロセッサ１１０に統合されていなくてもよい。
【０１３２】
リソース設定機器１４０は、様々な構成要素に電力を供給するための電源１１１（例えば、バッテリ）をさらに含んでもよく、オプションとして、電源１１１は、電力管理システムを介してプロセッサ１１０に論理的に接続されてもよく、これにより、電力管理システムを介して、充電、放電、及び消費電力管理などを管理する機能を実現することができる。
【０１３３】
また、リソース設定機器１４０は、いくつかの図示しない機能ブロックを含むが、ここでその説明が省略される。
【０１３４】
本開示の実施例は、図１４に示すように、プロセッサ１１０と、メモリ１０９と、メモリ１０９に記憶され、プロセッサ１１０上で実行可能なプログラムと、を備えるリソース設定機器をさらに提供し、該プログラムは、プロセッサ１１０によって実行されることで、前記リソース設定方法の実施例の各プロセスを実現し、同様の技術的効果をもたらすことができ、重複を避けるために、ここではその説明を省略する。
【０１３５】
本開示の実施例は、プロセッサにより実行されると、上記のビーム失敗検出方法の実施例の各プロセスを実現し、且つ同じ技術的効果を達成するプログラムが記憶されているコンピュータ読み取り可能な記憶媒体をさらに提供し、重複を避けるため、ここではその説明を省略する。ここで、コンピュータ読み取り可能な記憶媒体は、例えば、リードオンリーメモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク、又は光ディスク等である。
【０１３６】
本明細書において、用語「含む」、「備える」又はそれらの任意の他の変形形態は、非排他的な包含をカバーするように意図され、したがって、一連の要素を含むプロセス、方法、物品、又は装置は、それらの要素だけでなく、明示的に列挙されていない他の要素も含み、又はそのようなプロセス、方法、物品、又は装置に固有の要素も含む。これ以上の制限がない場合、「……を含む」という表現によって定義される要素は、その要素を含むプロセス、方法、物品、又は装置内に他の同一の要素がさらに存在することを除外しない。
【０１３７】
以上の実施形態の説明により、当業者は、上記実施形態の方法が、ソフトウェア及び必要な汎用ハードウェアプラットフォームによって実現でき、当然ながら、ハードウェアによっても実現できるが、前者がより好ましい実施形態である場合が多い、と明確に理解することができる。このような理解に基づいて、本開示の技術案の本質的な部分、換言すれば、従来技術に寄与する部分は、ソフトウェア製品の形で具現化することができ、該コンピュータソフトウェア製品は、記憶媒体（例えばＲＯＭ／ＲＡＭ、磁気ディスク、光ディスクなど）に記憶され、本開示の各実施例に記載された方法を端末（携帯電話、コンピュータ、サーバ、エアコン、又はネットワーク機器などであってよい）に実行させるためのいくつかの命令を含む。
【０１３８】
以上、図面を参照しながら本発明の実施例について説明したが、本開示は、上述の具体的な実施形態に限定されるものではなく、上述の具体的な実施形態は、単なる例示であって、限定的なものではなく、当業者は、本開示の教示を受けて、本発明の要旨及び特許請求の範囲から逸脱することなく、多くの形態を得ることができ、それらはすべて本開示の保護範囲内に含まれる。
【０１３９】
〔関連出願との相互参照〕
本出願は、２０１８年０８月０６日に出願された、出願番号が２０１８１０８８５８７１．４である中国特許出願を基礎とする優先権を主張し、その内容の全てが参照によって本出願に組み込まれる。
【図１】
2021533679.tif 000003
【図２】
2021533679.tif 000004
【図３】
2021533679.tif 000005
【図４】
2021533679.tif 000006
【図５】
2021533679.tif 000007
【図６】
2021533679.tif 000008
【図７】
2021533679.tif 000009
【図８】
2021533679.tif 000010
【図９】
2021533679.tif 000011
【図１０】
2021533679.tif 000012
【図１１】
2021533679.tif 000013
【図１２】
2021533679.tif 000014
【図１３】
2021533679.tif 000015
【図１４】
2021533679.tif 000016
【手続補正書】
【提出日】令和3年2月8日(2021.2.8)
【手続補正１】
【補正対象書類名】明細書
【補正対象項目名】０１１１
【補正方法】変更
【補正の内容】
【０１１１】
方案１：
ネットワークは制御リソースプールとデータリソースプールの多重化方式をＦＤＭに事前設定し、第２の目標方式で設定されたリソースプールは、図１１に示すように、各々が１個の制御リソースプール３１と１個のデータリソースプール３２とを含む、３つのリソースプール（リソースプール＃１、リソースプール＃２、リソースプール＃３）を有し、同じリソースプールに存在する制御リソースプールとデータリソースプールとは関連付けられ、リソースプール＃１とリソースプール＃２内の制御リソースプールとデータリソースプールの多重化方式はＦＤＭであり、リソースプール＃３内の制御リソースプールとデータリソースプールの多重化方式はＴＤＭである場合、ＵＥはリソースプール＃１又はリソースプール＃２内の第１のリソースと第２のリソースを選択して、制御情報とデータの伝送を実行する。
【手続補正２】
【補正対象書類名】明細書
【補正対象項目名】０１１５
【補正方法】変更
【補正の内容】
【０１１５】
方案３：
端末機器は制御リソースプールとデータリソースプールの多重化方式をＦＤＭに自己定義し、第２の目標方式で設定されたリソースプールは、図１１に示すように、各々が１個の制御リソースプール３１と１個のデータリソースプール３２とを含む３つのリソースプール（リソースプール＃１、リソースプール＃２、リソースプール＃３）を有し、同じリソースプール中の制御リソースプールがデータリソースプールに関連付けられ、リソースプール＃１とリソースプール＃２内の制御リソースプールとデータリソースプールの多重化方式はＦＤＭであり、リソースプール＃３内の制御リソースプールとデータリソースプールの多重方式はＴＤＭである場合、ＵＥはリソースプール＃１又はリソースプール＃２内の第１のリソースと第２のリソースを選択して、制御情報とデータの伝送を実行する。
【手続補正３】
【補正対象書類名】明細書
【補正対象項目名】０１１７
【補正方法】変更
【補正の内容】
【０１１７】
方案４：
端末機器は制御リソースプールとデータリソースプールの多重化方式をＦＤＭに自己定義し、第２の目標方式で設定されたリソースプールは、図１２に示すように、３つのリソースプール（リソースプール＃１、リソースプール＃２、リソースプール＃３）を有し、リソースプール＃１が制御リソースプールに設定され、リソースプール＃２とリソースプール＃３がデータリソースプールに設定され、制御リソースプールが２個のデータリソースプールに関連付けられ、リソースプール＃１とリソースプール＃２の多重化方式はＴＤＭで、リソースプール＃１とリソースプール＃３の多重化方式はＦＤＭである場合、ＵＥはリソースプール＃１内の第１のリソースを選択して制御情報の伝送を実行し、リソースプール＃３内の第２のリソースを選択してデータの伝送を実行する。
【手続補正４】
【補正対象書類名】特許請求の範囲
【補正対象項目名】全文
【補正方法】変更
【補正の内容】
【特許請求の範囲】
【請求項１】
第１のリソースと第２のリソースを第１の目標方式で多重化することを決定するステップを有する、リソース設定方法であって、
前記第１のリソースは、ＳＬ上の伝送制御情報に設定される候補リソースであり、前記第２のリソースは、ＳＬ上の伝送データに設定される候補リソースであり、前記第１の目標方式は、時分割多重化（ＴＤＭ）又は周波数分割多重化（ＦＤＭ）であることを特徴とする、
リソース設定方法。
【請求項２】
第１の目標方式は、プロトコルにより事前定義される、又はネットワークにより事前設定される、又はネットワーク機器により端末機器のために設定される、又は端末機器により自己定義される、又は送信側端末機器により受信側端末機器のために設定されることを特徴とする、請求項１に記載のリソース設定方法。
【請求項３】
前記第１の目標方式がネットワーク機器により前記端末機器のために設定されることは、
前記ネットワーク機器が、前記第１のリソースのリソースプールと前記第２のリソースのリソースプールの多重化方式を設定することを含む、ことを特徴とする請求項２に記載のリソース設定方法。
【請求項４】
前記第１の目標方式がネットワーク機器により前記端末機器のために設定されることは、
前記ネットワーク機器によりＵｕインタフェースを介して前記端末機器のために前記第１の目標方式を設定することを含み、
前記第１の目標方式が前記ネットワーク機器によりＵｕインタフェースを介して前記端末機器のために設定されることは、
前記ネットワーク機器が、前記Ｕｕインタフェースを介して、指示情報が付加される無線リソース制御ＲＲＣシグナリングを前記端末機器に送信すること、又は、
前記ネットワーク機器が、前記Ｕｕインタフェースを介して、指示情報が付加される下り制御情報ＤＣＩを前記端末機器に送信すること、を含み、前記指示情報は、前記第１の目標方式を示すために用いられる、
ことを特徴とする、請求項２に記載のリソース設定方法。
【請求項５】
前記ＲＲＣシグナリングに指示情報が付加されることは、
前記指示情報がＲＲＣシグナリングのうちの少なくとも１つの情報と共同符号化されること、又は、
前記ＲＲＣシグナリングに、指示情報を載せるための少なくとも１つのターゲットビットを持たせることにより実現される、
及び／又は、
前記ＤＣＩに指示情報が付加されることは、
前記指示情報がＤＣＩシグナリングのうちの少なくとも１つの情報と共同符号化されること、又は、
前記ＤＣＩに、指示情報を載せるための少なくとも１つのターゲットビットを持たせることにより実現される、
ことを特徴とする請求項４に記載のリソース設定方法。
【請求項６】
前記第１の目標方式が送信側端末機器により受信側端末機器のために設定されることは、
前記送信側端末機器によりＰＣ５インタフェースを介して前記受信側端末機器のために前記第１の目標方式を設定することを含み、
ここで、前記第１の目標方式が前記送信側端末機器によりＰＣ５インタフェースを介して前記受信側端末機器のために設定されることは、
前記送信側端末機器が、前記ＰＣ５インタフェースを介して、指示情報が付加されるＳＬ制御情報ＳＣＩを前記受信側端末機器に送信すること、又は、
前記送信側端末機器が、前記ＰＣ５インタフェースを介して、指示情報が付加されるＲＲＣシグナリングを前記受信側端末機器に送信すること、を含み、前記指示情報は、前記第１の目標方式を示すために用いられる、
ことを特徴とする請求項２に記載のリソース設定方法。
【請求項７】
前記ＳＣＩに指示情報が付加されることは、
前記指示情報が前記ＳＣＩのうちの少なくとも１つの情報と共同符号化されること、  又は、
前記ＳＣＩに、指示情報を載せるための少なくとも１つのターゲットビットを持たせることにより実現される、
及び／又は、
前記ＲＲＣシグナリングに指示情報が付加されることは、
前記指示情報がＲＲＣシグナリングのうちの少なくとも１つの情報と共同符号化されること、又は、
前記ＲＲＣシグナリングに、指示情報を載せるための少なくとも１つのターゲットビットを持たせることにより実現される、
ことを特徴とする請求項６に記載のリソース設定方法。
【請求項８】
第２の目標方式で制御リソースプール及びデータリソースプールを設定するステップをさらに有し、
前記制御リソースプールは、前記第１のリソースのリソースプールであり、前記データリソースプールは、前記第２のリソースのリソースプールである、
ことを特徴とする請求項１に記載のリソース設定方法。
【請求項９】
前記第２の目標方式で制御リソースプール及びデータリソースプールを設定するステップは、
Ｍ、Ｎは、非負整数であり、
Ｍ個の前記制御リソースプールがＮ個の前記データリソースプールに関連付けるように設定する、
１つのリソースプールに、少なくとも１つの前記制御リソース及び少なくとも１つの前記データリソースプールを設定すること、
１つのリソースプールに、前記制御リソースプールのみ又は前記データリソースプールのみを設定することとのうちのいずれか１つを含む、
ことを特徴とする請求項８に記載のリソース設定方法。
【請求項１０】
Ｍ、Ｎは、共に正の整数であり、
第１のキャリアセットと第２のキャリアセットとは共通セットを有し、
前記第１のキャリアセットは、前記Ｍ個の制御リソースプールの各々が存在するキャリアからなるセットであり、前記第２のキャリアセットは、前記Ｎ個のデータリソースプールの各々が存在するキャリアからなるセットである、
ことを特徴とする請求項９に記載のリソース設定方法。
【請求項１１】
Ｍ、Ｎは、共に正の整数であり、
第１のキャリアセットと第２のキャリアセットとは、共通セットを有さなく、
前記第１のキャリアセットは、前記Ｍ個の制御リソースプールの各々が存在するキャリアからなるセットであり、第２のキャリアセットは、前記Ｎ個のデータリソースプールの各々が存在するキャリアからなるセットである、
ことを特徴とする請求項９に記載のリソース設定方法。
【請求項１２】
第１のリソースと第２のリソースを第１の目標方式で多重化することを決定するための第１の設定部を備え、
前記第１のリソースは、ＳＬ上の伝送制御情報に設定される候補リソースであり、前記第２のリソースは、ＳＬ上の伝送データに設定される候補リソースであり、前記第１の目標方式は、時分割多重化（ＴＤＭ）又は周波数分割多重化（ＦＤＭ）である、
ことを特徴とするリソース設定機器。
【請求項１３】
前記第１の目標方式は、プロトコルにより事前定義される、又はネットワークにより事前設定される、又はネットワーク機器により端末機器のために設定される、又は端末機器により自己定義される、又は送信側端末機器により受信側端末機器のために設定されることを特徴とする、請求項１２に記載のリソース設定機器。
【請求項１４】
前記第１の目標方式がネットワーク機器により前記端末機器のために設定されることは、
前記ネットワーク機器が、前記第１のリソースのリソースプールと前記第２のリソースのリソースプールの多重化方式を設定することを含む、
ことを特徴とする請求項１３に記載のリソース設定機器。
【請求項１５】
第２の目標方式で制御リソースプール及びデータリソースプールを設定するための第２の設定部をさらに備え、
前記制御リソースプールは、前記第１のリソースのリソースプールであり、前記データリソースプールは、前記第２のリソースのリソースプールである、
ことを特徴とする請求項１２に記載のリソース設定機器。
【請求項１６】
前記第２の設定部は、具体的にＭ個の前記リソースプールがＮ個の前記データリソースプールに関連付けるように設定するために用いられ、
Ｍ、Ｎは、非負整数である、ことを特徴とする請求項１５に記載のリソース設定機器。
【請求項１７】
Ｍ、Ｎは、共に正の整数であり、
第１のキャリアセットと第２のキャリアセットとは、共通セットを有し、
前記第１のキャリアセットは、前記Ｍ個の制御リソースプールの各々が存在するキャリアからなるセットであり、第２のキャリアセットは、Ｎ個のデータリソースプールの各々が存在するキャリアからなるセットである、
ことを特徴とする請求項１６に記載のリソース設定機器。
【請求項１８】
Ｍ、Ｎは、共に正の整数であり、
第１のキャリアセットと第２のキャリアセットとは、共通セットを有さなく、
前記第１のキャリアセットは、前記Ｍ個の制御リソースプールの各々が存在するキャリアからなるセットであり、第２のキャリアセットは、前記Ｎ個のデータリソースプールの各々が存在するキャリアからなるセットである、
ことを特徴とする請求項１６に記載のリソース設定機器。
【請求項１９】
前記第２の設定部は、具体的に１つのリソースプールに少なくとも１つの前記制御リソース及び少なくとも１つの前記データリソースプールを設定するために用いられる、ことを特徴とする請求項１５に記載のリソース設定機器。
【請求項２０】
前記第２の設定部は、具体的に１つのリソースプールに前記制御リソースプールのみ又は前記データリソースプールのみを設定するに用いられる、ことを特徴とする請求項１５に記載のリソース設定機器。
【国際調査報告】
2021533679.tif 000017
2021533679.tif 000018
2021533679.tif 000019
2021533679.tif 000020